(57)【要約】【課題】  スタンド角度０度(梱包状態)からスタンド５０度に角度変更をする際、ロックを解除する操作を不要、かつ、多段階の角度設定構造を提供する。【解決手段】  電子機器を設置する際の角度設定構造であって、前記スタンド部材の回動を固定する１以上の斜めの摺動面を有する凹部を有し、前記電子機器は、前記スタンド部材と回転自在に係合する係合部に設けられた１以上のストッパーと、前記凹部を前記ストッパーに押し付ける方向に働くバネ部材と、を有し、前記スタンド部材を回動させる場合に、前記バネ部材を圧縮させる方向に前記スタンド部材を前記斜めの摺動面に沿って摺動することにより前記凹部と前記ストッパーとの係合を解除し、前記スタンド部材の摺動を止めることで前記バネ部材の反力により前記凹部と前記ストッパーとが再び係合させ、前記スタンド部材の回動を固定する。【選択図】    図２
2018046217.tif 000002
【特許請求の範囲】
【請求項１】
筐体を構成するスタンド部材と前記スタンド部材が接続される電子機器から成る、前記電子機器を設置する際の角度設定構造であって、
前記スタンド部材は、前記電子機器との係合部に前記ストッパーと係合して前記スタンド部材の回動を固定する１以上の斜めの摺動面を有する凹部を有し、
前記電子機器は、前記スタンド部材と回転自在に係合する係合部に設けられた１以上のストッパーと、前記凹部を前記ストッパーに押し付ける方向に働くバネ部材と、を有し、
前記スタンド部材を回動させる場合に、前記バネ部材を圧縮させる方向に前記スタンド部材を前記斜めの摺動面に沿って摺動することにより前記凹部と前記ストッパーとの係合を解除し、
前記スタンド部材の摺動を止めることで前記バネ部材の反力により前記凹部と前記ストッパーと再び係合させ、前記スタンド部材の回動を固定することを特徴とする電子機器の多段階角度設定構造。
【発明の詳細な説明】
【技術分野】
【０００１】
本発明は、卓上で使用するときに設置角度を設定できる多段階角度設定構造を有する電子機器に関する。
【背景技術】
【０００２】
従来の電子機器の設置角度設定構造では、１つのスタンド部材の操作で設置角度を変更する物がある。（例えば、特許文献１）。
【０００３】
しかしながら、特許文献１に記載されているような角度設定構造においては、スタンド角度を変更する時、ロック解除が必要の為、工事者が電話機を箱から出して設置する際、スタンド角度０度(梱包状態)からスタンド５０度に変更する操作方法(ロック解除方法)が分からず、スタンドを破損させてしまう場合がある。
【先行技術文献】
【特許文献】
【０００４】
【特許文献１】実願２０１３−００１５６３号公報
【発明の概要】
【発明が解決しようとする課題】
【０００５】
そこで、本発明は上記の課題を解決するために、スタンド角度０度(梱包状態)からスタンド５０度に角度変更をする際、ロックを解除する操作を不要、かつ、多段階の角度設定構造を提供することにある。
【課題を解決するための手段】
【０００６】
上記課題を解決するために、本発明は、筐体を構成するスタンド部材と前記スタンド部材が接続される電子機器から成る、前記電子機器を設置する際の角度設定構造であって、前記スタンド部材は、前記電子機器との係合部に前記ストッパーと係合して前記スタンド部材の回動を固定する１以上の斜めの摺動面を有する凹部を有し、前記電子機器は、前記スタンド部材と回転自在に係合する係合部に設けられた１以上のストッパーと、前記凹部を前記ストッパーに押し付ける方向に働くバネ部材と、を有し、前記スタンド部材を回動させる場合に、前記バネ部材を圧縮させる方向に前記スタンド部材を前記斜めの摺動面に沿って摺動することにより前記凹部と前記ストッパーとの係合を解除し、前記スタンド部材の摺動を止めることで前記バネ部材の反力により前記凹部と前記ストッパーと再び係合させ、前記スタンド部材の回動を固定することを特徴とする。
【発明の効果】
【０００７】
本発明によれば、スタンド角度０度(梱包状態)からスタンド５０度に角度変更をする際、ロックを解除する操作を不要、かつ、多段階の角度設定構造を提供できる。
【図面の簡単な説明】
【０００８】
【図１】本発明の実施形態に係る電話機の多段階角度設定構造の構成を示す分解図
【図２】（ａ）本発明の実施の一形態に係る電話機の多段階角度設定構造を示す斜視図（ｂ）多段階角度設定構造部の拡大図（ｃ）スタンド係合部の拡大図
【発明を実施するための形態】
【０００９】
以下に、電子機器として電話機を例に、図面を参照しながら、本発明の実施の一形態について説明する。ただし、以下の説明は、あくまでも本発明の例示にすぎず、以下の記載によって発明の技術的範囲が限定されるものではない。
【００１０】
図１は本発明の実施の一形態に係る電話機１の多段階角度設定構造の構成を示す分解図である。
図示するように多段階角度設定構造は、電話機１と、スタンド部材２と、バネ部材３と、から構成される。
電話機１には後述スタンド部材２に設けられた回転軸２０を挿入する凹部１０とスタンド部材２の設置角度を維持するストッパー１１が設けられている。
【００１１】
図２（ａ）は本発明の実施の一形態に係る電話機の多段階角度設定構造を示す斜視図である。（ｂ）は多段階角度設定構造部の拡大図である。（ｃ）はスタンド係合部の拡大図である。
【００１２】
電話機１とスタンド部材２の係合部は、図２（ｂ）、図２（ｃ）に図示するように、電話機１に設けられた回転軸２０を挿入する凹部１０と、ストッパー１１と、スタンド部材２に設けられた回転軸２０と、回転軸２０に設けられた摺動面２１と、回転軸２０が電話機１に挿入された後、ストッパー１１が係合され固定するための多数のストッパーと係合する凹部２２から構成されている。
【００１３】
多段階角度設定構造について図２を用いて説明する。図２（ｂ）に示す電話機１の凹部１０の外壁に設けられた２つのストッパー１１が、図２（ｃ）に示すスタンド２に設けられたストッパーと係合する凹部２２に係合し、またバネ部材３の反力によってストッパーと係合する凹部２２をストッパー１１に向かって押動する方向に力が加わることで、スタンド部材２の回動を固定している。この状態では、ストッパーと係合する凹部２２とストッパー１１の係合が自然に解除されることは無く、スタンド部材２の角度は保持される。
【００１４】
次に、角度を調整する場合について説明する。ここで図２（ａ）から、スタンド角度０度(梱包状態)からスタンド５０度に角度を調整する場合は、スタンド部材２を方向Ａから方向Ｂに回動することにより、摺動面２１はストッパー１１と係合する稜線に沿って滑らせて、摺動面起点２１ａから摺動面終点２１ｂに向かって摺動することにより、バネ部材３が縮む方向に力が加わり、ストッパーと係合する凹部２２とストッパー１１の係合を解除させてスタンド部材２を回動させる。スタンド部材２を５０度に設定した後に、前述した操作者の回動を止めることで再びバネ部材３の反力によってストッパーと係合する凹部２２をストッパー１１に向かって押動する方向に力が加わり、ストッパーと係合する凹部２２とストッパー１１が係合されてスタンド部材２の角度が保持される。
【００１５】
次に、スタンド角度０度(梱包状態)からスタンド５０度以外の角度調整する場合について説明する。スタンド５０度から、角度の設定はスタンド部材２を回転方向ＡまたはＢいずれの方向に回動させても行うことが可能である。角度を調整する場合は、スタンド部材２を方向Ｃに向かって操作者が押動することにより、バネ部材３が縮む方向に力が加わり、ストッパーと係合する凹部２２とストッパー１１の係合を解除させてスタンド部材２を回動させる。スタンド部材２を５０度以外の角度に設定した後に、前述した操作者の回動を止めることで再びバネ部材３の反力によってストッパーと係合する凹部２２をストッパー１１に向かって押動する方向に力が加わり、ストッパーと係合する凹部２２とストッパー１１が係合されてスタンド部材２の角度が保持される。
【００１６】
０度から５０度以外は、従来の電子機器の設置角度設定構造と同様にロックを解除する操作が必要の為、スタンドが破損する可能性がある。ストッパーと係合する凹部２２両側にある立壁の傾斜角度を大きくすれば、全ての角度でロック解除不要となる。また、ストッパーと係合する凹部２２両側にある立壁の傾斜角度の設定により、スタンド２の各設置角度における保持力が設定可能となる。
【００１７】
このように、本発明によれば従来の角度設定構造よりも容易に角度設定を行える多段階の角度設定を提供でき、かつ工事者が電話機を箱から出して設置する際、ロックを解除する操作を不要の為、スタンドを破損させてしまう懸念がない。本発明において、実施例として回転軸に設けた多数の凹部の両側にある立壁は、固定できるならば立壁の角度に制限はなく、また凹部の数にも制限はない。これにより、電子機器側のストッパーおよび凹部も前記凹部に合わせ自由に設置でき制限はない。尚、実施例に示した凸部、凹部は相互に入れ替えたとしても同様の効果が得られる。
【００１８】
なお、実施の一形態においては、電子機器として電話機を例に説明したが、本発明の構造は、電子機器一般に適用可能である。
【符号の説明】
【００１９】
１・・・電話機、１０・・・凹部、１１・・・ストッパー、２・・・スタンド部材、２０・・・回転軸、２１・・・摺動面、２１ａ・・・摺動面起点、２１ｂ・・・摺動面終点、２２・・・ストッパーと係合する凹部、３・・・バネ部材
【図１】
2018046217.tif 000003
【図２】
2018046217.tif 000004